(57)【要約】【課題】  電力消費を抑えつつ記録ヘッドの温度分布を均一に保つことにより、所望のノズルから正確にインクを吐出させて濃度ムラのない画像を形成する。【解決手段】  インクジェットプリンタ１では、各記録ヘッドＨＫ〜ＨＹの複数のノズル２５が複数のノズルブロックＮＢＫ１〜ＮＢＹ２…に区分けされ、各ノズルブロックＮＢＫ１〜ＮＢＹ２…ごとに温度センサＴＫ１〜ＴＹ２…が配置されると共に、各ノズルブロック周辺の温度と、非記録用パルス信号のパルス幅との対応関係を規定する変更テーブルが、各ノズルブロックごとにメモリ３５に記憶されている。記録時には、各温度センサＴＫ１〜ＴＹ２…により検知された温度に基づいて、各変更テーブルから各ノズルブロック周辺の温度に対応するパルス幅が読み出され、読み出されたパルス幅を用いて非記録用パルス信号が生成される。【選択図】  図５
2007030228.tif 000002
【特許請求の範囲】
【請求項１】
複数のノズルおよび各ノズルに対応する複数の熱エネルギ発生素子をそれぞれ有する複数の記録ヘッドを適用可能であり、画像データに応じて前記熱エネルギ発生素子に熱エネルギを発生させ、当該熱エネルギ発生素子に対応するノズルから吐出されるインクによって記録媒体に画像を記録するインクジェット記録装置において、
画像データに応じて、実際にインクを吐出させる実記録ノズルに対応する熱エネルギー発生素子にインク吐出を許容する熱エネルギを発生させるための実記録用パルス信号を生成すると共に、画像データに応じて、実際にインクを吐出させない非記録ノズルに対応する熱エネルギ発生素子にインク吐出を許容しない程度の熱エネルギを発生させるための非記録用パルス信号を生成するヘッド駆動手段と、
複数のノズルを区分けすることにより、各記録ヘッドごとに複数定められているノズルブロックと、
各記録ヘッドの各ノズルブロックごとに配置されており、各ノズルブロック周辺の温度を検知する温度検知手段と、
各記録ヘッドの各ノズルブロックごとに作成されており、各ノズルブロック周辺の温度と、前記非記録用パルス信号のパルス幅との対応関係を規定する変更テーブルと、
各温度検知手段により検知された温度に基づいて、各変更テーブルから各ノズルブロック周辺の温度に対応するパルス幅を読み出し、読み出したパルス幅を示す信号を前記ヘッド駆動手段に与える制御手段とを備えることを特徴とするインクジェット記録装置。
【請求項２】
前記記録媒体に対する実際の記録動作中に、前記非記録ノズルに対応する熱エネルギ発生素子に熱エネルギを発生させるための非記録用パルス信号のパルス幅を変化させ得ることを特徴とする請求項１に記載のインクジェット記録装置。
【請求項３】
前記制御手段は、所定条件のもとで、前記ヘッド駆動手段による非記録用パルス信号の作成または送信を休止させることを特徴とする請求項１または２に記載のインクジェット記録装置。
【請求項４】
複数のノズルおよび各ノズルに対応する複数の熱エネルギ発生素子をそれぞれ有する複数の記録ヘッドを使用し、画像データに応じて、実際にインクを吐出させる実記録ノズルに対応する熱エネルギー発生素子に、インク吐出を許容する熱エネルギを発生させるための実記録用パルス信号を印加すると共に、画像データに応じて、実際にインクを吐出させない非記録ノズルに対応する熱エネルギ発生素子に、インク吐出を許容しない程度の熱エネルギを発生させるための非記録用パルス信号を印加しながら、記録媒体に画像を記録するインクジェット記録方法において、
各記録ヘッドの複数のノズルを複数のノズルブロックに区分けし、各記録ヘッドの各ノズルブロックごとに、各ノズルブロック周辺の温度を検知する温度検知手段を配置し、各記録ヘッドの各ノズルブロックごとに、各ノズルブロック周辺の温度と、前記非記録用パルス信号のパルス幅との対応関係を規定する変更テーブルを用意し、各温度検知手段により検知された温度に基づいて、各変更テーブルから各ノズルブロック周辺の温度に対応するパルス幅を読み出し、読み出したパルス幅を用いて前記非記録用パルス信号を生成することを特徴とするインクジェット記録方法。
【発明の詳細な説明】
【技術分野】
【０００１】
本発明は、インクジェット記録装置およびインクジェット記録方法に関する。
【背景技術】
【０００２】
一般に、インクジェット記録装置は、複数のノズルおよび各ノズルに対応する熱エネルギ発生素子を有する記録ヘッドを利用して、記録媒体に画像（文字を含む）を記録する。この場合、記録ヘッドの各熱エネルギ発生素子は、記録されるべき画像を示す画像データに応じて熱エネルギを発生してインクを発泡させ、それに対応するノズルからインクを吐出させる。
【０００３】
この種のインクジェット記録装置では、画像データによっては、すべてのノズルを用いて記録が行なわれるわけではない。例えば記録ヘッドの片側半分だけのノズルが記録動作に用いられることがある。また、複数のノズルを所定数のブロックに区分けして、ブロックごとに記録動作を行なうこともある。
【０００４】
ここで、記録ヘッドの複数のノズルが均一に使用されず、ノズル間においてインク吐出頻度の差が存在する場合、複数の熱エネルギ発生素子のそれぞれから均等に熱が発せられないことになるので、記録ヘッド内に偏った温度分布が生じてしまう。そして、記録ヘッド内に偏った温度分布が生じている状態で記録動作が行なわれると、記録媒体に形成された画像に部分的な濃度ムラが発生してしまう。また、画像の濃度ムラをもたらす記録ヘッド内の温度分布の偏りは、ノズル数が多いほど発生し易い。更に、このような現象は、シアン、マゼンタ、イエロー、ブラック等のインクによってカラー画像を形成する際に、カラーバランスの崩れをもたらすと共に、色味の変化や色再現性を低下させることから、特に問題となる。
【０００５】
上述の課題を解決するための手法としては、従来から、実際にインクを吐出させるノズル（以下「実記録ノズル」という）に対応する熱エネルギー発生素子に、インク吐出を許容するパルス信号（以下「実記録用パルス信号」という）を与えて熱エネルギを発生させるだけではなく、記録ヘッドの温度に基づいて、実際にインクを吐出させないノズル（以下「非記録ノズル」という）に対応する熱エネルギ発生素子に、インク吐出を許容しない程度のパルス信号（以下「非記録用パルス信号」という）を与えて熱エネルギを発生させる手法が知られている（例えば、特許文献１参照。）。かかる手法を採用することにより、複数の熱エネルギ発生素子間における発熱の偏りが抑制され、記録ヘッド内で偏った温度分布が生じてしまうこと、ひいては、記録媒体に濃度ムラをもった画像が形成されることが抑制される。
【０００６】
【特許文献１】特開２００２−１１３８４５号公報
【発明の開示】
【発明が解決しようとする課題】
【０００７】
しかしながら、従来のインクジェット記録装置では、非記録ノズルに対応する熱エネルギ発生素子に、予め定められた一定のパルス幅をもった非記録用パルス信号を与えることにより、インク吐出を許容しない程度の熱エネルギを発生させている。このように、非記録ノズルに対応するすべての熱エネルギ発生素子に一定のパルス幅をもった信号を与えることは、記録ヘッドの内部全体が既に高温になっている場合、余分な電力消費に繋がるものであり、却って記録ヘッドの更なる温度上昇をもたらす要因となる。また、記録ヘッドの内部全体が高温になっている場合、非記録ノズルに対応する熱エネルギ発生素子に予め定められた一定のパルス幅をもった非記録用パルス信号を与えると、本来はインクが吐出されないはずの非記録ノズルからインクが吐出されてしまうこともある。
【０００８】
そこで、本発明は、電力消費を抑えつつ、記録ヘッドの温度分布を均一に保つことにより、所望のノズルから正確にインクを吐出させて、濃度ムラのない画像を形成可能とするインクジェット記録装置およびインクジェット記録方法の提供を目的とする。
【課題を解決するための手段】
【０００９】
本発明のインクジェット記録装置は、複数のノズルおよび各ノズルに対応する複数の熱エネルギ発生素子をそれぞれ有する複数の記録ヘッドを適用可能であり、画像データに応じて熱エネルギ発生素子に熱エネルギを発生させ、当該熱エネルギ発生素子に対応するノズルから吐出されるインクによって記録媒体に画像を記録するインクジェット記録装置において、画像データに応じて、実際にインクを吐出させる実記録ノズルに対応する熱エネルギー発生素子にインク吐出を許容する熱エネルギを発生させるための実記録用パルス信号を生成すると共に、画像データに応じて、実際にインクを吐出させない非記録ノズルに対応する熱エネルギ発生素子にインク吐出を許容しない程度の熱エネルギを発生させるための非記録用パルス信号を生成するヘッド駆動手段と、複数のノズルを区分けすることにより、各記録ヘッドごとに複数定められているノズルブロックと、各記録ヘッドの各ノズルブロックごとに配置されており、各ノズルブロック周辺の温度を検知する温度検知手段と、各記録ヘッドの各ノズルブロックごとに作成されており、各ノズルブロック周辺の温度と、非記録用パルス信号のパルス幅との対応関係を規定する変更テーブルと、各温度検知手段により検知された温度に基づいて、各変更テーブルから各ノズルブロック周辺の温度に対応するパルス幅を読み出し、読み出したパルス幅を示す信号をヘッド駆動手段に与える制御手段とを備えることを特徴とする。
【００１０】
このインクジェット記録装置では、複数の記録ヘッドのそれぞれについて、複数のノズルが複数のノズルブロックに区分けされている。そして、このインクジェット記録装置では、各記録ヘッドの各ノズルブロックごとに、温度検出手段が備えられると共に、各記録ヘッドの各ノズルブロックごとに、各ノズルブロック周辺の温度と非記録用パルス信号のパルス幅との対応関係を規定する変更テーブルが備えられている。従って、このインクジェット記録装置では、各記録ヘッドの各ノズルブロックの周辺温度に応じて、きめ細かく非記録用パルス信号のパルス幅を設定することが可能となる。
【００１１】
これにより、本発明のインクジェット記録装置によれば、非記録ノズルに対応する熱エネルギ発生素子を発熱させるための電力消費を必要最小限にしつつ、記録ヘッド内の温度分布を均一に保って、記録媒体に濃度ムラのない画像を形成することができる。そして、記録ヘッドの内部全体が高温になっている場合に、本来はインクが吐出されないはずの非記録ノズルからインクが吐出されてしまうことを確実に防止することができる。この結果、所望の記録ノズルから正確にインクを吐出させることが可能となる。
【００１２】
また、記録媒体に対する実際の記録動作中に、非記録ノズルに対応する熱エネルギ発生素子に熱エネルギを発生させるための非記録用パルス信号のパルス幅を変化させることができると好ましい。
【００１３】
更に、制御手段は、所定条件のもとで、ヘッド駆動手段による非記録用パルス信号の作成または送信を休止させると好ましい。
【００１４】
本発明によるインクジェット記録方法は、複数のノズルおよび各ノズルに対応する複数の熱エネルギ発生素子をそれぞれ有する複数の記録ヘッドを使用し、画像データに応じて、実際にインクを吐出させる実記録ノズルに対応する熱エネルギー発生素子に、インク吐出を許容する熱エネルギを発生させるための実記録用パルス信号を印加すると共に、画像データに応じて、実際にインクを吐出させない非記録ノズルに対応する熱エネルギ発生素子に、インク吐出を許容しない程度の熱エネルギを発生させるための非記録用パルス信号を印加しながら、記録媒体に画像を記録するインクジェット記録方法において、各記録ヘッドの複数のノズルを複数のノズルブロックに区分けし、各記録ヘッドの各ノズルブロックごとに、各ノズルブロック周辺の温度を検知する温度検知手段を配置し、各記録ヘッドの各ノズルブロックごとに、各ノズルブロック周辺の温度と、非記録用パルス信号のパルス幅との対応関係を規定する変更テーブルを用意し、各温度検知手段により検知された温度に基づいて、各変更テーブルから各ノズルブロック周辺の温度に対応するパルス幅を読み出し、読み出したパルス幅を用いて非記録用パルス信号を生成することを特徴とする。
【発明の効果】
【００１５】
以上説明されたように、本発明によれば、電力消費を抑えつつ、記録ヘッドの温度分布を均一に保つことにより、所望のノズルから正確にインクを吐出させて、濃度ムラのない画像を形成可能となる。
【発明を実施するための最良の形態】
【００１６】
以下、図面と共に本発明によるインクジェット記録装置およびインクジェット記録方法の好適な実施形態について詳細に説明する。
【００１７】
図１は、本発明によるインクジェット記録装置を示す斜視図であり、図２は、図１に示されるインクジェット記録装置の概略構成図である。これらの図面は、本発明によるインクジェット記録装置の一例として、いわゆるフルライン方式のラベルプリンタとして構成されたインクジェットプリンタ１を示している。図１に示されるように、インクジェットプリンタ１は、上カバー２および前カバー３を含む筐体４と、フィーダートレイ５を有するフィーダ６と、スタッカ７とを含む。筐体４には、更に、電源スイッチ８や、プリンタ１の操作環境の設定、モード設定等を行なうための入力手段として用いられる操作パネル９等が備えられている。
【００１８】
また、インクジェットプリンタ１は、図２に示されるように、それぞれ、ブラック（Ｋ）、シアン（Ｃ）、淡シアン（ＬＣ）、マゼンタ（Ｍ）、淡マゼンタ（ＬＭ）およびイエロー（Ｙ）のインクを吐出可能な記録ヘッドＨＫ，ＨＣ，ＨＬＣ，ＨＭ，ＨＬＭおよびＨＹを有している。これら各記録ヘッドＨＫ〜ＨＹは、何れも、対象となる記録媒体のうち、最も幅の大きな記録媒体の幅とほぼ同じ範囲にわたって複数のノズルが直線状に配設された、いわゆるラインヘッドとして構成されている。
【００１９】
更に、筐体４の内部には、記録媒体搬送系１０が配置されている。記録媒体搬送系１０は、フィーダートレイ５からの記録媒体Ｐを搬送ベルトＢに吸着（静電吸着）させながら、各記録ヘッドＨＫ〜ＨＹの下方に記録媒体Ｐを一定の速度で搬送する。記録ヘッドＨＫ〜ＨＹは、図３に示されるように、記録媒体Ｐの搬送方向と直交する方向に互いに並行に配列されている。記録媒体Ｐが所定の記録位置に達すると、各記録ヘッドＨＫ〜ＨＹによってインクが吐出され、記録媒体Ｐに画像が形成される。その後、画像形成がなされた記録媒体Ｐは、スタッカ７に排出される。なお、フィーダ６には、積載された記録媒体Ｐの幅を検知するための記録媒体幅センサ６ａが設けられており、この記録媒体幅センサ６ａによって記録が行なわれるべきものと異なる幅の記録媒体がフィーダートレイ５に積載されていることが検出されると、操作パネル９には、ユーザに正しい記録媒体をセットするように促す表示がなされる。
【００２０】
また、記録媒体搬送系１０の下方には、各記録ヘッドＨＫ〜ＨＹごとに、メインタンク１１およびサブタンク１２が配設されている。各メインタンク１１は、対応する記録ヘッドＨＫ〜ＨＹに応じた色のインクを貯留するものである。そして、各サブタンク１２は、対応するメインタンク１１からのインクを一時的に貯留するものであり、各記録ヘッドＨＫ〜ＨＹには、対応する各サブタンク１２からインクが供給される。
【００２１】
図４に示されるように、各記録ヘッドＨＫ〜ＨＹは、シリコン基板２０と、シリコン基板２０上に並設された多数の隔壁２１と、各隔壁２１に埋設された発熱体（熱エネルギ発生素子）２２と、各隔壁２１を覆う天板２３等を有している。各隔壁２１同士の間には、インク流路２４が画成され、各インク流路２４の先端がノズル２５として利用される。また、各隔壁２１の後方には、各インク流路２４と連通する共通液室２６が画成されている。各発熱体２２は、各隔壁２１内に半導体プロセスと同様の手法により形成されるものであり、電気エネルギが印加されると熱を発生し、その熱によってインク流路２４内のインクを発泡させる。そして、発生した気泡の圧力によって各ノズル２５からインクが吐出されると、記録媒体Ｐには、所望のカラー画像あるいはモノクロ画像が形成されることになる。
【００２２】
ここで、各記録ヘッドＨＫ〜ＨＹは、それぞれ複数のノズル２５を有するが、各記録ヘッドＨＫ〜ＨＹでは、複数のノズル２５を区分けすることにより、複数のノズルブロックが定められている。そして、各記録ヘッドＨＫ〜ＨＹ内には、各ノズルブロックごとに、各ノズルブロック周辺の温度を検出する温度センサが配置されている。本実施形態では、温度センサとして、ダイオードセンサが用いられており、各温度センサは、対応するノズルブロック周辺の温度変化に応じた電圧信号を出力する。
【００２３】
なお、本実施形態のインクジェットプリンタ１では、各記録ヘッドＨＫ〜ＨＹに、それぞれの温度を所定温度以上に保つためのサブヒータ（保温用ヒータ)が装備されている。これにより、各記録ヘッドＨＫ〜ＨＹの温度がインクの吐出を行なうのに最適な温度よりも低い場合（例えば、３０℃未満）に、サブヒータに給電すれば、記録前の各記録ヘッドＨＫ〜ＨＹをインク吐出に最適な温度まで昇温させることが可能となる。また、インクジェットプリンタ１には、各記録ヘッドＨＫ〜ＨＹが高温となった場合に作動させる冷却ファン等を備えてもよい。
【００２４】
図５は、上述のインクジェットプリンタ１のブロック構成図である。同図に示されるように、インクジェットプリンタ１は、記録動作を始めとする各種動作を制御するメインコントローラ３０を有する。メインコントローラ３０は、各種制御プログラム等を記憶するメモリ（ＲＯＭ）、制御データ・画像等を一時記憶するメモリ（ＲＡＭ）、および、メモリ（ＲＯＭ）に記憶されているプログラムに基づいて種々の処理・制御を実行するＣＰＵ等を含んでいる。また、メインコントローラ３０（ＣＰＵ）は、ホストコンピュータ１００と接続され、両者の間で情報の交換が行われる。
【００２５】
メインコントローラ３０には、ドライバコントローラ３１を介して、上述の各記録ヘッドＨＫ〜ＨＹを駆動制御するヘッド駆動回路３２が接続されている。ヘッド駆動回路３２は、画像データに応じて、各記録ヘッドＨＫ〜ＨＹの複数のノズル２５のうち、実際にインクを吐出させる実記録ノズルに対応する発熱体２２に与えられる実記録用パルス信号を生成すると共に、画像データに応じて、実際にインクを吐出させない非記録ノズルに対応する発熱体２２に与えられる非記録用パルス信号を生成する。
【００２６】
ヘッド駆動回路３２により生成される実記録用パルス信号は、対応するノズル２５からのインク吐出を許容する熱エネルギを発熱体２２に発生させ得る所定のパルス幅を有する。一方、ヘッド駆動回路３２により生成される非記録用パルス信号は、対応するノズル２５からのインク吐出を許容しない程度の熱エネルギを発熱体２２に発生させ得るパルス幅を有する。この非記録用パルス信号のパルス幅は、後述される変更テーブルを利用して、記録媒体Ｐに対する実際の記録動作中に変化させられる。
【００２７】
また、メインコントローラ３０には、各記録ヘッドＨＫ〜ＨＹの各ノズルブロックに対して設けられている温度センサが増幅回路３３を介して接続されている。更に、メインコントローラ３０には、搬送系１０に含まれるフィードモータ１０Ｍがモータドライバ１０Ｄを介して接続されると共に、各記録ヘッドＨＫ〜ＨＹに回復処理を施すための回復ユニットに含まれる回復モータ１４Ｍがモータドライバ１４Ｄを介して接続されている。
【００２８】
上述のドライバコントローラ３１には、図５に示されるように、イメージメモリ３４が接続されている。イメージメモリ３４の記憶領域は、上述のブラック（Ｋ）、シアン（Ｃ）、淡シアン（ＬＣ）、マゼンタ（Ｍ）、淡マゼンタ（ＬＭ）、および、イエロー（Ｙ）の各色ごとに区分されており、画像記録を行うためにホストコンピュータ１００からメインコントローラ３０のＣＰＵに送られる画像データは、各色ごとに、イメージメモリ３４に格納される。
【００２９】
加えて、メインコントローラ３０（ＣＰＵ）には、各種動作に必要とされる情報を記憶するメモリ３５が接続されている。メモリ３５には、図６に示されるような変更テーブルが各記録ヘッドＨＫ〜ＨＹの各ノズルブロックごとに格納されている。図６は、変更テーブルの一例を示すものであり、各変更テーブルは、同図からわかるように、それに対応する温度センサの出力（電圧値）と、当該温度センサの出力に対応するノズルブロック周辺温度と、そのノズルブロック周辺温度のもとで最適な非記録用パルス信号のパルス幅との関係を定めるものである。
【００３０】
上述のように構成されたインクジェットプリンタ１では、ホストコンピュータ１００による画像データ（ビットマップ形式）の送信が開始されると、メインコントローラ３０によって受け取られた画像データが、ドライバコントローラ３１によってイメージメモリ３４の各色ごとの記憶領域に格納される。記録媒体一枚分の画像データがイメージメモリ３４に格納されると、フィーダートレイ５から、記録媒体Ｐがホストコンピュータ１００から送信された画像データに対応する枚数だけ各記録ヘッドＨＫ〜ＨＹ（記録位置）に向けて一定の速度で順次送り出される。なお、ホストコンピュータ１００から画像データを受信してイメージメモリ３４に格納する処理は、記録媒体Ｐの搬送処理および画像記録処理と互いに並行し行なわれるので、記録媒体Ｐに対して異なる画像を連続記録することができる。
【００３１】
ここで、インクジェットプリンタ１では、画像の記録を行なわない待機状態中においても、各記録ヘッドＨＫ〜ＫＹに配置されている温度センサＴＫ１〜ＴＹ２…により、各記録ヘッドＨＫ〜ＫＹのノズルブロックの周辺温度が検出され、各温度センサＴＫ１〜ＴＹ２…の検出値がメインコントローラ３０に送られる。メインコントローラ３０は、各温度センサの検出値に基づいて、何れかのノズルブロックの周辺温度がインクの吐出を行なうのに最適な温度よりも低い場合、対応するサブヒータに対する給電を指示し、各記録ヘッドＨＫ〜ＨＹの温度をインク吐出に最適な温度まで昇温させる。
【００３２】
そして、上述のように記録動作が開始された際、メインコントローラ３０は、メモリ３５からノズルブロックに対応した変更テーブルを読み出し、各変更テーブルから、各温度センサの検出値に対応する非記録用パルス信号のパルス幅、すなわち、現時点で各ノズルブロックに最適な非記録用パルス信号のパルス幅の値を読み出す。その後、メインコントローラ３０は、各ノズルブロックについての非記録用パルス信号のパルス幅を設定するための非記録用パルス設定信号をヘッド駆動回路３２に与える。
【００３３】
これと並行して、記録媒体Ｐが記録位置に達した段階で、メインコントローラ３０に接続されたドライバコントローラ３１は、イメージメモリ３４に格納されている各色の画像データに基づいてヘッド駆動回路３２に所定の信号を与える。ヘッド駆動回路３２は、メインコントローラ３０およびドライバコントローラ３１とから信号を受け取ると、ドライバコントローラ３１からの信号に基づいて、各記録ヘッドＨＫ〜ＨＹの実記録ノズルに対応する発熱体２２にインク吐出を許容する熱エネルギを発生させるための実記録用パルス信号を生成する。
【００３４】
また、ヘッド駆動回路３２は、ドライバコントローラ３１からの信号に基づいて各記録ヘッドＨＫ〜ＨＹの各ノズル２５のうち、非記録ノズルを識別し、メインコントローラ３０からの非記録用パルス設定信号（非記録用パルス信号のパルス幅を設定するための信号）に基づいて、該当する非記録ノズルについて、それぞれの非記録ノズルが属するノズルブロックの周辺温度に応じたパルス幅をもった非記録用パルス信号を生成する。これにより、インクジェットプリンタ１では、各記録ヘッドＨＫ〜ＨＹの各ノズルブロックの周辺温度に応じて、きめ細かく非記録用パルス信号のパルス幅を設定することが可能となる。
【００３５】
従って、本実施形態のインクジェットプリンタ１によれば、非記録ノズルに対応する発熱体２２を発熱させるための電力消費を必要最小限にしつつ、各記録ヘッドＨＫ〜ＨＹ内の温度分布を均一に保って、記録媒体Ｐに濃度ムラのない画像を形成することができる。そして、記録ヘッドＨＫ〜ＨＹの内部全体が高温になっている場合に、本来はインクが吐出されないはずの非記録ノズルからインクが吐出されてしまうことを確実に防止することができる。この結果、所望の記録ノズルから正確にインクを吐出させることが可能となる。
【００３６】
なお、メインコントローラ３０は、各記録ヘッドＨＫ〜ＨＹの温度（各温度センサＴＫ１〜ＴＹ２…の検出値）が所定の値を上回ったと判断した場合、ヘッド駆動回路３２による非記録用パルス信号の作成および送信処理を休止させる。同様に、メインコントローラ３０は、操作パネル９を介してユーザにより省エネモードが選択された場合、ヘッド駆動回路３２による非記録用パルス信号の作成および送信処理を休止させる。
【図面の簡単な説明】
【００３７】
【図１】本発明によるインクジェット記録装置を示す斜視図である。
【図２】図１のインクジェット記録装置の構成を説明するための概略構成図である。
【図３】図１のインクジェット記録装置に含まれる記録ヘッドを示す斜視図である。
【図４】図１のインクジェット記録装置に含まれる記録ヘッドの要部を示す斜視図である。
【図５】図１に示されるインクジェット記録装置の制御ブロック図である。
【図６】図１のインクジェット記録装置に含まれる変更テーブルの一例を示す図表である。
【符号の説明】
【００３８】
１  インクジェットプリンタ
４  筐体
５  フィーダートレイ
６  フィーダ
７  スタッカ
１０  記録媒体搬送系
１１  メインタンク
１２  サブタンク
２０  シリコン基板
２１  隔壁
２２  発熱体
２４  インク流路
２５  ノズル
３０  メインコントローラ
３１  ドライバコントローラ
３２  ヘッド駆動回路
３３  増幅回路
３４  イメージメモリ
３５  メモリ
１００  ホストコンピュータ
ＨＫ，ＨＣ，ＨＬＣ，ＨＭ，ＨＬＭ，ＨＹ  記録ヘッド
Ｐ  記録媒体
【図１】
2007030228.tif 000003
【図２】
2007030228.tif 000004
【図３】
2007030228.tif 000005
【図４】
2007030228.tif 000006
【図５】
2007030228.tif 000007
【図６】
2007030228.tif 000008